(57)【特許請求の範囲】
【請求項１】
上端に開口する収納空間を有する椅子本体と該椅子本体の上端に載置され該椅子本体の開口を覆い着座される座部とを有する椅子と、
前記椅子本体の収納空間内に配置され排泄物を分解する菌床及び排泄物を受ける上端開口の浄化空間を持つタンクと、該タンクに保持され該菌床を攪拌する攪拌手段及び該菌床を所定温度に加温する加温手段と、該タンクの上端開口を開閉可能に密閉状態に閉じ且つ該タンクに着脱可能に取り付けられた内蓋と、該タンクに回動自在に且つ着脱可能に保持された便座と、前記浄化空間内の空気を循環する送気通路を持つ空気循環手段と、該送気通路に設けられた消臭手段と、を持つ便器と、
を備え、
前記便器は、前記椅子の前記収納空間内に収容されており、
前記攪拌手段は、前記タンク内に互いに平行に配置された一対の軸部と、該それぞれの軸部の軸方向に沿って互いに同じ位置に配列するとともに該軸方向に対して傾斜して略Ｖ字形状に延びる複数の攪拌羽根とからなり、
同一軸部上の複数の前記攪拌羽根同士は、互いに該軸部の周面に対して周方向に向きを変えて固定されており、
前記一対の軸部は、互いに同一タイミングで回転され、
前記一対の軸部に、軸方向に互いに同じ位置にそれぞれ配置された前記攪拌羽根同士が、互いに干渉しないようにそれぞれ該軸部の周面に対して周方向に互いに向きを変えて配置されていることを特徴とする便器付き椅子。
【請求項２】
前記便器は、前記椅子の前記収納空間内に着脱可能に収容されていることを特徴とする請求項１記載の便器付き椅子。
【請求項３】
前記空気循環手段及び前記消臭手段の少なくとも一方は、前記椅子本体の後部に設けられていることを特徴とする請求項１又は２に記載の便器付き椅子。
【請求項４】
前記椅子本体には、前記座部の開閉を感知する開閉センサが設けられており、前記座部が閉じて前記椅子本体の開口を覆うときには前記撹拌器が作動し、前記座部が開いて前記椅子本体の開口を開けるときには前記撹拌器が停止するように構成されていることを特徴とする請求項１乃至３のいずれか１項に記載の便器付き椅子。
【請求項５】
前記椅子本体の内部には、充電池を搭載していることを特徴とする請求項１乃至４のいずれか１項に記載の便器付き椅子。
【発明の詳細な説明】
【技術分野】
【０００１】
本発明は使用者が着座して排泄する便器付き椅子に関する。
【背景技術】
【０００２】
病人や高齢者等の介護用便器として、室内で手軽に用便を足せる簡易型便器が使用されている。かかる簡易型便器として、従来、特許文献１に、使用者が着座する着座部と、使用者の排泄物を受け開閉可能な蓋を設けたタンクと、タンクを収容する枠部とを備えたものが開示されている。また、特許文献２には、タンクの中に、排泄物を分解し得る菌床を収容し、枠部の側壁には、タンク内の臭気を浄化するフィルタを設けることが開示されている。
【特許文献１】特開２００５−１５２２７６号公報
【特許文献２】特開２００１−３４６７１７号公報
【発明の開示】
【発明が解決しようとする課題】
【０００３】
しかしながら、上記特許文献１の簡易型便器は、タンク内に排泄物がそのまま貯留し、臭気がタンク内に充満する。使用時に蓋をあけたときに臭気が外部に拡散する。また、排泄物は適宜既設トイレなどに流す必要があり、メンテナンス性が悪い。特許文献２の簡易型便器では、微生物が排泄物を浄化するため、メンテナンス性がよく、またフィルタにて脱臭しているため臭気が少ない。しかし、フィルタにより脱臭をしていても、タンクの上部から臭気が外部へ漏れ出てしまう。このため、臭気を効果的に抑制することはできない。
【０００４】
病人や高齢者等は、室内で快適に生活したいという要望が高い。このため、臭気は室内環境を悪化させる要因であり、臭気対策が望まれる。また、室内で使用するため、椅子としても使用できることが望まれる。
【０００５】
本発明の目的は、臭気が室内に拡散することを抑制でき、メンテナンス性にも優れた便器付き椅子を提供しようとするものである。
【課題を解決するための手段】
【０００６】
本発明に係る便器付き椅子は、上端に開口する収納空間を有する椅子本体と該椅子本体の上端に載置され該椅子本体の開口を覆い着座される座部とを有する椅子と、前記椅子本体の収納空間内に配置され排泄物を分解する菌床及び排泄物を受ける上端開口の浄化空間を持つタンクと、該タンクに保持され該菌床を攪拌する攪拌手段及び該菌床を所定温度に加温する加温手段と、該タンクの上端開口を開閉可能に密閉状態に閉じ且つ該タンクに着脱可能に取り付けられた内蓋と、該タンクに回動自在に且つ着脱可能に保持された便座と、前記浄化空間内の空気を循環する送気通路を持つ空気循環手段と、該送気通路に設けられた消臭手段と、を持つ便器と、を備え、前記便器は、前記椅子の前記収納空間内に収容されており、前記攪拌手段は、前記タンク内に互いに平行に配置された一対の軸部と、該それぞれの軸部の軸方向に沿って互いに同じ位置に配列するとともに該軸方向に対して傾斜して略Ｖ字形状に延びる複数の攪拌羽根とからなり、同一軸部上の複数の前記攪拌羽根同士は、互いに該軸部の周面に対して周方向に向きを変えて固定されており、前記一対の軸部は、互いに同一タイミングで回転され、前記一対の軸部に、軸方向に互いに同じ位置にそれぞれ配置された前記攪拌羽根同士が、互いに干渉しないようにそれぞれ該軸部の周面に対して周方向に互いに向きを変えて配置されていることを特徴とする。
【０００７】
タンク内に排泄された排泄物は、タンク内の菌床によって分解される。菌床は、撹拌手段で撹拌されるため、排泄物と菌床との接触機会が多く、分解効率がよい。また、タンクにはタンクの上端開口を被覆し得る内蓋が設けられている。内蓋は、用便をするときにはタンクから取り外し、用便終了後にはタンクを覆う。このため、用便終了後にタンク内の臭気が外部に漏れ出すことを抑制できる。
【０００８】
また、タンクの上端開口は内蓋により密閉状態に閉じられる。また、タンクは椅子本体の中の収納空間に収容されており、収納空間は座部により密閉状態に閉じられている。このため、タンク内の臭気は、まずタンク内に封じ込められる。臭気が、タンクの外に漏れ出ても、タンクが収容されている椅子本体の収納空間の中に封じ込められる。このように、本発明の便器付き椅子は、タンク内の臭気の外部への拡散を、タンクとその外を囲む椅子本体との二重閉鎖構造により極力抑制する構造を有しているといえる。
【０００９】
また、タンク内の菌床は排泄物を浄化するため、タンク内の排泄物を既存トイレなどに捨てる手間を省くことができる。さらに、タンクは椅子本体から着脱可能であるため、タンクを取り外して清掃することができる。このため、ポータブルトイレは、メンテナンス性にも優れている。
【００１０】
また、椅子本体の中に収納空間があり、その中に排泄物浄化用のタンクを収納している。椅子本体の上端開口には開閉可能な座部が設けられている。使用者は、用便の際には座部を開け、用便終了後には座部を閉じる。座部を閉じれば、一般の椅子と同様に着座することができる。
【発明の効果】
【００１１】
本発明の便器付き椅子は、臭気が室内に拡散することを抑制でき、メンテナンス性にも優れている。また、便器としてだけでなく椅子としても使用できる。便器を使用していないときには、外観上一般の椅子と何ら変わることはない。また、臭気もないことから、快適な室内空間を提供できる。
【発明を実施するための最良の形態】
【００１２】
本発明に係る便器付き椅子は、椅子と便器とを有する。
【００１３】
椅子は、上端に開口する収納空間を有する椅子本体と、その上端に載置され椅子本体の開口を覆い着座される座部とを有する。座部は、開閉可能であることが好ましい。座部は、用便の際には開き椅子本体の上端開口をあけ、その中に収納された便器にて用便をする。用便終了後には、座部を閉じて椅子本体の上端開口を覆う。
【００１４】
椅子は、背もたれ部と肘掛部とを有することが好ましい。これにより、用便をするときに背もたれ部にもたれ肘掛部に肘を掛けて、楽な姿勢をとることができる。また、普通の椅子として使用する際にも、楽な姿勢をとることができる。
【００１５】
便器は、椅子本体の収納空間内に配置され菌床及び排泄物を受けるタンクと、タンクの上端開口を閉じる内蓋と、タンクに回動自在に保持された便座とを有する。内蓋は、開閉可能であることが好ましい。内蓋は、用便の際には開きタンクの上端開口をあけ、用便をする。用便終了後には、内蓋を閉じてタンクの上端開口を覆う。
【００１６】
菌床は、排泄物を分解し得る微生物と、微生物の培養材とからなる。培養材は、オガクスなどの木の粉砕物を例示できる。
【００１７】
便器は浄化空間内の空気を循環する送気通路を持つ空気循環手段と送気通路に設けられた消臭手段とを持つ。これにより、タンク内の臭気が更に抑制される。また、消臭器によりタンク内の臭気を消臭しても１００％抑制することは困難である。このため、便器にタンク内の浄化空間内の空気を循環する送気通路を設けることにより、消臭できなかった消臭成分を含む空気は再度タンク内に戻り、繰り返し消臭器にて消臭される。タンクの上端開口は内蓋にて被覆されているため、タンク内の臭気が外部に漏れ出ることはない。また、用便の際には、タンクの内蓋が開口されるが、タンク内は菌床にて排泄物の浄化がされているため、臭気は殆ど漂わない。
【００１８】
消臭手段は、椅子本体の収納空間内に設けられている。これにより、外部からは脱臭器が見えず、外観がよい。
【００１９】
空気循環手段及び消臭手段の少なくとも一方は、椅子本体の後部に設けられていることが好ましい。これにより、脱臭器が介護人の介護作業の邪魔になることはない。介護人が便器使用者を介護するときに、介護人は便器使用者の近くに寄り添うことができる。
【００２０】
前記椅子本体には、前記座部の開閉を感知する開閉センサが設けられており、前記座部が閉じて前記椅子本体の開口を覆うときには前記撹拌器が作動し、前記座部が開いて前記椅子本体の開口を開けるときには前記撹拌器が停止するように構成されていることが好ましい。座部を開け使用者が用便をするときに、作動している撹拌器に使用者が触れると安全上好ましくない。このため、使用者が用便をするときに、撹拌器を停止させることにより、安全に用を足すことができる。
【実施例】
【００２１】
本発明の実施例について図１〜図１４を用いて具体的に説明する。図１は便器付き椅子からタンク、内蓋、便座をはずした状態を示す。図２はタンク、内蓋、便座を取り付けた便器付き椅子を後方から視認した状態を示す。図３は座部の取付け状態を示すために椅子本体を後方から視認した拡大斜視図を示す。図４はタンクの側面断面図を示す。図５は図４のＡ−Ａ線断面斜視図を示す。図６はタンクの平面図を示す。図７はタンクからギア機構、モータ、ダクト及び送風器を取り外した状態を示す。図８はタンクにギア機構、モータ、ダクト及び送風器を取り付けた状態を示す。図９はダクトの一部切欠き斜視図を示す。図１０は便器付き椅子を前方から視認した状態を示す。図１１は座部を上方に揺動させた状態で便器付き椅子を前方から視認した状態を示す。図１２は座部及び便座を上方に揺動させた状態の便器付き椅子を前方から視認した状態を示す。図１３は座部及び便座を上方に揺動させ更に小蓋を取り外した状態の便器付き椅子を前方から視認した状態を示す。図１４は座部及び便座を上方に揺動させ更に小蓋及び大蓋を取り外した状態の便器付き椅子を前方から視認した状態を示す。
【００２２】
本実施例に係る便器付き椅子は、図１に示すように、使用者が着座する椅子４と、椅子４の収納空間４５に配置され排泄物を受ける便器３とを備える。椅子４は、上端に開口する収納空間４５を有する椅子本体４１と、椅子本体４１の上端に設けられ椅子本体４１の開口を覆い着座される座部４４とを有する。
【００２３】
ここで前方とは、座部４４に着座する使用者が顔を向く方向（矢印Ｆ方向）を意味する。後方とは、座部４４に着座する使用者の背中が向く方向（矢印Ｂ方向）を意味する。
【００２４】
椅子４の椅子本体４１は、便器３を収容可能な収納空間４５と、収納空間４５の前部及び後部を形成する前板部４０及び後板部４２と、前板部４０及び後板部４２の両側に設けられた側板部４７と、使用者の肘掛けとして機能するアームレスト部４６と、椅子本体４１の後部において側板部４７から上方に延びる背板部４７ｒと、背板部４７ｒに架設され使用者の背中に対面する比較的厚みのあるクッション性の背もたれ部４８と、床面側に配置された底板部４３と、底板部４３と椅子本体４１とを接続する接続部４９とを有する。
【００２５】
アームレスト部４６は、座部４４に着座している使用者の左右両腕を支える。アームレスト４６の前部は、側板部４７の前部に固定された支持部４６ｒにより固定されている。アームレスト部４６の後部は、背板部４７ｒに固定されている。椅子本体４１の前板部４０には、タンク５取り出しの際にタンク５のフランジ部５２に手をかけやすいように凹部４０ｒが設けられている。図２に示すように、椅子本体４１の後部側には、移動用の転動可能なキャスター４０ｗが設けられている。椅子本体４１の前側を持ち上げれば、キャスター４０ｗにより便器付き椅子を容易に移動させることができる。椅子本体４１の後部には、電気コード２０を外部に引き出す配線口４１ｕが設けられている。
【００２６】
底板部４３を接続する接続部４９は、椅子本体４１の前部及び後部に設けられている。接続部４９は、高さ方向に配列したビス穴４９ｒを有する。椅子本体４１の側板部４７にはビス嵌入凹部が形成されている。接続部４９における高さの異なるビス穴４９ｒを適宜選択し、選択したビス穴４９ｒと椅子本体４１のビス嵌入凹部とを同一軸になるように位置合わせを行い、これらの中にビスを装着することにより座部４４の高さ位置を調整する。
【００２７】
底板部４３は、椅子本体４１の両側に設けられ、後方から前方に向けて接続部４９に対して固定されている。底板部４３の前方側の端部４３ｒは、椅子本体４１から前方へ突出している。これは、使用者が前かがみ姿勢になり重心が前方になったときに安定して椅子本体４１を支えるためである。
【００２８】
椅子４の座部４４は、椅子本体４１の後方上端に開閉可能に取り付けられている。座部４４は、前板４４ｒと、後板４４ｓと、前板４４ｒ及び後板４４ｓを折り畳み可能にするヒンジ部４４ｔとを有する。前板４４ｒ及び後板４４ｓには、使用者が着座したときに快適なように厚みのあるクッション材から形成されている。前板４４ｒには、開閉時に手を掛ける帯状部４４ｕが設けられている。図３に示すごとく、後板４４ｓの左右両側部は座部支持板４４ｖが設けられている。座部支持板４４ｖは、後方に突出する突出先端部４４ｘを有する。突出先端部４４ｘには外側面方向に向けて突出する軸ピン４４ｙが取付けてある。また、椅子本体４１の背板部４７ｒには、座部４４の軸ピン４４ｙを回動自在に軸受けする軸穴４７ｖが設けられている。この軸穴４７ｖに軸ピン４４ｙを挿入することにより、座部４４が椅子本体４１に対して回動自在に枢支される。
【００２９】
図１に示すように、便器３は、椅子本体４１の収納空間４５内に配置されている。図１，図４に示すように、便器３は、排泄物を分解する菌床８及び排泄物を受ける上端の開口部５０ｕを持つ浄化空間５０を有するタンク５と、その開口部５０uを閉じる内蓋である大蓋３９及び小蓋３６と、タンク５に保持され菌床を攪拌する攪拌手段である攪拌器２１、２２及び菌床を加温する加温手段であるヒータ６と、タンク５に回動自在に保持された便座３０とを持つ。
【００３０】
図１に示すように、便座３０は、便座受け３５と、便座受け３５に着脱可能に固定され使用者が用便時に着座する便座本体３１と、便座受け３５の後部に設けられた回動軸３３ｒとを有する。便座受け３５には、便座本体３１を装着する段部３２が設けられている。段部３２には、便座本体３１の凹状の嵌合部３１ｕを装着する孔部３２ｕが形成されている。便座本体３１は、使用者が着座しやすいクッション材からなる。便座受け３５及び便座本体３１の中央には排泄物を落下させる開口部３５ｒ、３１ｒが設けられている。回動軸３３ｒは、便座受け３５を上下に揺動可能に保持している。便座受け３５の後部の左右両端には、下方に突出しタンク５の後部の窪み部５５ｕに着脱可能に挿入される挿入棒３３ｕが設けられている。便座３０は、タンク５の上端の開口部５０ｕを覆う大蓋３９の上に載置される。便座３０は、挿入棒３３ｕをタンク５の窪み部５５ｕに挿入することにより、タンク５に保持される。
【００３１】
内蓋である大蓋３９の外形は、タンク５の上端の開口部５０ｕと同様の形状を有する。大蓋３９の内側には小蓋３６の形状に沿った開口部３８が設けられている。小蓋３６は、大蓋３９の内側の開口部３８に沿った形状を有し、その中央部には指先でつまむつまみ部３７を有する。大蓋３９及び小蓋３６は、タンク５から取り外し可能であり、タンク５に取付けたときにはタンク５の開口部５０ｕを密閉状態に閉じる。内蓋は、前記のごとく、大蓋３９と小蓋３６の２つからなる。大蓋３９は便座３０を受け、小蓋３６は排泄物を落下させるタンク５の開口部５０ｕを塞いでいる。
【００３２】
図４、図５、図６に示すように、タンク５は、上端に開口部５０ｕを持ち排泄物を分解し得る菌床８及び排泄物を収容する浄化空間５０と、開口部５０ｕから外方に鍔状に延設されたフランジ部５２と、フランジ部５２の後部に設けられた凹状の段部５５と、段部５５の両側部に設けられ便座３０の挿入棒３３ｕを着脱可能に保持する窪み部５５ｕとを有する。
【００３３】
タンク５内の攪拌器２１、２２は、タンク５の前後方向に取り付けられ、互いに並列に配置されている。攪拌器２１，２２は、タンク５の前後方向に並列に配置された軸部２１ｗ、２２ｗと、各軸部２１ｗ、２２ｗの側面に固定された２つの攪拌羽根２１ｕ、２２ｕとからなる。図４、図６に示すように、攪拌羽根２１ｕ、２２ｕは、長尺板を２箇所で折り曲げて略コ字状にしたものであり、その底部においてネジにより軸部２１ｗ、２２ｗに固定され、その両端部において菌床８及び排泄物を攪拌する。軸部２１ｗに固定されている２つの攪拌羽根２１ｕは、軸部２１ｗの側面に対して周方向に１８０°向きを変えて取付けられている。また、軸部２２ｗに固定されている２つの攪拌羽根２２ｕについても、軸部２２ｗの側面に対して周方向に１８０°向きを変えて取付けられている。図６に示すように、一方の軸部２１ｗに取付けられた攪拌羽根２１ｕは、隣接する他方の軸部２２ｗに取り付けられた攪拌羽根２２ｕに対して、互いに干渉し合わないように周方向に９０°向きを変えて配置されている。
【００３４】
図７に示すように、軸部２１ｗ、２２ｗの前方の端部２１ｓ、２２ｓは、タンク５の前部の側壁内側に設けた凹状の軸受け部５３ｓ、５４ｓにより回動自在に枢支されている。軸部２１ｗ、２２ｗの後方の端部２１ｒ、２２ｒは、タンク５の後部の側壁内側に設けた軸受け穴５３ｒ、５４ｒにより回動自在に枢支されている。また、後方の端部２１ｒ、２２ｒは、タンク５の後部に突出して、ギア機構２０と接続されている。ギア機構２０は、各軸部２１ｗ、２２ｗと同軸に配置されたギア２６，２７と、ギア２６，２７の両側面側から支持するケース２３とを有する。ギア２６，２７の中心には、攪拌器２１，２２の軸部２１ｗ、２２ｗの端部２１ｒ、２２ｒを嵌入する穴部２６ｕ、２７ｕが設けられている。ギア２６，２７は同じ歯数の平歯車で互いにかみあっている。モータ２には減速ギア２ｒが設けられている。モータ２はケース２３に開口する取付け穴２３ｕに装着され、減速ギア２ｒをケース２３の中に配置している。この減速ギア２ｒはギア２６とかみ合っている。モータ２が回転すると、その回転トルクは、モータ２から減速ギア２ｒ、ギア２６、ギア２７に伝達される。ギア２６，２７は、攪拌器２１，２２の軸部２１ｗ、２２ｗを同一タイミングで回転させる。軸部２１ｗ、２２ｗに固定された攪拌羽根２１ｕ、２２ｕは、タンク５の中の菌床及び排泄物を攪拌する。
【００３５】
図５に示すように、タンク５の底部５９には、攪拌羽根２１ｕ、２２ｕの回転軌道に沿った円弧状部５１が形成されている。これにより、タンク５の底部５９に堆積する菌床及び排泄物を十分に攪拌できる。
【００３６】
タンク５の底部５９の外面には、ヒータ６が取付けられている。ヒータ６の周囲は断熱材６０により被覆されている。ヒータ６は約４０°程度に設定されており、タンク７の内部の菌床を加温し、微生物が排泄物を分解しやすい環境をつくっている。
【００３７】
図７、図８、図９に示すように、便器３は、浄化空間５０内の空気を循環する空気潤滑手段であるダクト１７及び送風器１を備えている。ダクト１７は、タンク５の後方に搭載されている。タンク５の後方の壁面上部に開口する取付け穴５６，５７に保持されている。ダクト１７は、逆Ｌ字形状であり、その中にタンク５から送風器１へ空気を送り込む第１送気通路１８と、送風器１からタンク５へ空気を戻す第２送気通路１９とを形成している。第１送気通路１８は、タンク５の後部壁面へ開口する吸い込み口１１と、送風器１の第１接続口１０ｐに接続する第１開口部１６ｓとを有する。第２送気通路１９は、タンク５の後部壁面に開口する吹き出し口１２と、送風器１の第２接続口１０ｕと接続する第２開口部１６ｕとを有する。第１送気通路１８と第２送気通路１９は、ダクト１７の中に形成された仕切り板１６ｃにより仕切られて互いに独立している。送風器１は、内部に送風通路１０を有するハウジング１０ｖと、送風通路１０の途中に配置された送風ファン１０ｓ及び脱臭材１０ｒとを有する。脱臭材は、例えば、ハニカムフィルタ、活性炭などである。ハニカムフィルタは、たとえば、高分子基材に放射線グラフト重合を施して、ハニカム状に成形することにより得られる。ダクト１７及び送風器１は、タンク５の後方外側であって、椅子本体４１内の収納空間４２に配置されている。
【００３８】
図２に示すように、椅子本体４１の後部には、操作パネル４２ｕが設けられている。操作パネル４２ｕでは、電源のＯＮ／ＯＦＦ、便器３の撹拌器２１，２２，脱臭用の送風ファン１０ｓの回転量、ヒータ６の温度調整などを調整する。
【００３９】
図３に示すように、椅子本体４１の後部には、座部４４の開閉を感知する開閉センサ４４ｗが設けられている。開閉センサ４４ｗは磁石であり、座部４４の後板４４ｓの中に埋設されている磁石４４ｚとの間に引力が働くか否かで、座部４４の開閉を検知する。座部４４が開いて後板４４ｓの中の磁石４４ｚが開閉センサ４４ｗから離れ、両磁石間で引力が働かない場合には、座部４４が閉じていると判断し、電源をＯＮにする。これにより、タンク５内の撹拌器２１，２２が作動し、タンク５内の菌床及び排泄物を撹拌する。一方、座部４４が開いて後板４４ｓの中の磁石４４ｚと開閉センサ４４ｗとが接近し、引力が働く場合には、座部４４が開いていることを感知し、電源をＯＦＦにする。この場合、使用者の安全のため撹拌器２１，２２を停止する。
【００４０】
椅子４は木製であり、タンク５は樹脂により形成されている。
【００４１】
本実施例の便器付き椅子を使用するにあたっては、タンク５の中に、排泄物を分解し得る好気性の微生物とオガクズなどの微生物の培養材とからなる菌床８を投入する。操作パネル４２ｕの電源をONにする。すると、ヒータ６が４０℃程度に加熱して、その上のタンク５内に収容されている菌床を加温する。送風ファン１０ｓが回転し、脱臭材１０ｒによりタンク５内の空気が消臭される。また、撹拌器２１，２２が作動し、菌床８を撹拌する。便器付き椅子で用便をするときには、図１１、図１２，図１３、図１４に示すように、座部４４を上方に持ち上げ、更に便座３０を一端持ち上げて、小蓋３６を取り外す。その後便座３０を元に戻して、用便をする。座部４４を上方に持ち上げると、開閉センサ４４ｗにより座部４４が開かれたことが感知され、撹拌器２１，２２は停止する。用便終了後には、また便座３０を持ち上げて小蓋３６をし、便座３０及び座部４４を降ろす。すると、開閉センサ４４ｗにより座部４４が閉じられたことが感知され、撹拌器２１，２２は作動を再開する。座部４４の椅子として使用するときには、使用者は、座部４４を降ろし座部４４の上に着座する。タンク５内を清掃する時には、座部４４、便座３０及び小蓋３６及び大蓋３９を取り外す。そして、タンク５からダクト１７、送風器１、ギア機構２０及びモータ２を取り除く。その後、タンク５のフランジ部５２に手をかけ、椅子本体４１内の収納空間４５からタンク５を取り出す。
【００４２】
本実施例においては、タンク５内に排泄された排泄物は、タンク内の菌床によって分解される。菌床は、撹拌器２１，２２で撹拌されるため、排泄物と菌床との接触機会が多く、分解効率がよい。また、タンク５の上部にはタンク５の上端の開口部５０ｕを被覆し得る小蓋３６が設けられている。小蓋３６は、用便をするときにはタンク５から取り外し、用便終了後にはタンク５を覆う。このため、用便終了後にタンク５内の臭気が外部に漏れ出すことを抑制できる。
【００４３】
タンク５は、椅子本体４１の収納空間４５の中に収容されている。このため、タンク５から臭気が漏れ出ても、収納空間４５の中に封じ込められる。このように、本例の便器付け椅子は、タンク５と椅子本体４１からなる臭気の二重封じ込み構造を有するため、外部へ拡散することを効果的に抑制できる。
【００４４】
さらに、タンク５内の菌床は排泄物を浄化するため、タンク５内の排泄物を既存トイレなどに捨てる手間を省くことができる。さらに、タンク５は椅子本体４１から着脱可能である。また、大蓋３９及び小蓋３６，便座３０は、タンク５から取り外し可能である。このため、タンク５、大蓋３９及び小蓋３６，便座３０の清掃が容易である。特に、使用者の尻部が直接触れる便座本体３１は、便座受け３５から取り外し可能である。このため、便座本体３１を便座受け３５から取り外して便座本体３１だけを清掃することもできる。
【００４５】
便器３は浄化空間５０内の空気の消臭を行う消臭材１０ｒを設けている。このため、タンク５内の臭気が更に抑制される。また、消臭材によりタンク５内の臭気を消臭しても１００％抑制することは困難である。このため、便器３にタンク５内の浄化空間５０内の空気を循環する送気通路１０を設けている。このため、消臭できなかった消臭成分を含む空気は再度タンク５内に戻り、くりかえし消臭材１０ｒにて消臭される。タンク５の上端の開口部５０は内蓋である大蓋３９及び小蓋３６にて被覆されているため、タンク５内の臭気が外部に漏れ出ることはない。また、用便の際には、小蓋３６が取り外されタンク５の上端の開口部５０ｕが開口されるが、タンク５内は菌床にて排泄物の浄化がされているため、消臭は殆ど漂わない。
【００４６】
また、ダクト１７、送風器１、攪拌器１１，１２を駆動しているギア機構２０及びモータ２は、すべて椅子本体４１の収納空間４５の中に収容されている。このため、これらは外部からは見えず、外観は普通の椅子と同様である。
【００４７】
本実施例の便器付き椅子は、電気コード２０より電気を供給しているが、椅子本体４１の内部に充電池を搭載してもよい。この場合、停電の際にも、便器３が作動するため、地震、落雷などの災害時にも便器付き椅子を使用することができる。
【００４８】
なお、本例においては、消臭材１０ｒをタンク５の後部に設けたが、図１２に示すように、便座３０の裏面に接着シールなどで接着してもよい。
【産業上の利用可能性】
【００４９】
本発明は高齢者、障害者、健常者などが使用する便器付き椅子に利用することができる。
【図面の簡単な説明】
【００５０】
【図１】実施例の便器付き椅子からタンク、内蓋、便座をはずした状態を示す斜視図である。
【図２】タンク、内蓋、便座を取り付けた便器付き椅子を後方から視認した状態を示す斜視図である。
【図３】座部の取付け状態を示すために椅子本体を後方から視認した拡大斜視図である。
【図４】タンクの側面断面図である。
【図５】図４のＡ−Ａ線断面斜視図である。
【図６】タンクの平面図である。
【図７】タンクからギア機構、モータ、ダクト及び送風器を取り外した状態を示す斜視図である。
【図８】タンクにギア機構、モータ、ダクト及び送風器を取り付けた状態を示す斜視図である。
【図９】ダクトの一部切欠き斜視図である。
【図１０】便器付き椅子を前方から視認した状態を示す斜視図である。
【図１１】座部を上方に揺動させた状態で便器付き椅子を前方から視認した状態を示す斜視図である。
【図１２】座部及び便座を上方に揺動させた状態の便器付き椅子を前方から視認した状態を示す斜視図である。
【図１３】座部及び便座を上方に揺動させ更に小蓋を取り外した状態の便器付き椅子を前方から視認した状態を示す斜視図である。
【図１４】座部及び便座を上方に揺動させ更に小蓋及び大蓋を取り外した状態の便器付き椅子を前方から視認した状態を示す斜視図である。
【符号の説明】
【００５１】
図中、１は送風器、１０は送気通路、１０ｒは脱臭材、１１は吸い込み口、１２は吐き出し口、１７はダクト、１８は第１送気通路、１９は第２送気通路、２０はギア機構、２１，２２は撹拌器、３は便器、３０は便座、３１は便座本体、３５は便座受け、３６は小蓋、３９は大蓋、４は椅子、４１は椅子本体、４４は座部、４４ｗは開閉センサ、４５は浄化空間、５はタンク、５０は収納空間、６はヒータ、８は菌床である。
【図１】
0004810265.tif 000002
【図２】
0004810265.tif 000003
【図３】
0004810265.tif 000004
【図４】
0004810265.tif 000005
【図５】
0004810265.tif 000006
【図６】
0004810265.tif 000007
【図７】
0004810265.tif 000008
【図８】
0004810265.tif 000009
【図９】
0004810265.tif 000010
【図１０】
0004810265.tif 000011
【図１１】
0004810265.tif 000012
【図１２】
0004810265.tif 000013
【図１３】
0004810265.tif 000014
【図１４】
0004810265.tif 000015